(57)【要約】【課題】携帯電話機へ修正ソフトウェアを配信する場合、無線回線の利用率を低下させず、かつ悪意の第３者に対する秘匿性をも向上させる。【解決手段】暗号化修正ソフトウェア３を、オフラインで各携帯電話機５へ予め取込んでおき、復号化に必要な鍵情報４のみを、無線基地局７を介して無線回線を用いてオンラインで配信する。こうすることにより、無線上の負荷や回線利用率の低下が抑えられると共に、暗号化修正ソフトウェア３と復号用鍵情報４とを、別々の方法で配信するので、情報の秘匿性が著しく向上する。【選択図】　　　図１
2004015249.tif 000002
【特許請求の範囲】
【請求項１】
携帯端末へ情報を配信する情報配信システムであって、
前記情報を暗号化して予めオフラインにて前記携帯端末へ配信するオフライン配信手段と、
この暗号化情報の復号化のための鍵情報を無線通信にて配信する無線配信手段とを含むことを特徴とする情報配信システム。
【請求項２】
前記オフライン配信手段は、前記暗号化情報を記憶媒体に記憶することにより配信するようにしたことを特徴とする請求項１記載の情報配信システム。
【請求項３】
前記記憶媒体は前記携帯端末に実装可能な外部ストレージであることを特徴とする請求項２記載の情報配信システム。
【請求項４】
前記オフライン配信手段は、前記携帯端末に接続され前記暗号化情報をダウンロードしたコンピュータを有し、このコンピュータから前記暗号化情報を前記携帯端末へ取り込むようにしたことを特徴とする請求項１記載の情報配信システム。
【請求項５】
前記携帯端末は携帯電話機であり、前記情報はこの携帯端末上で動作するソフトウェアであることを特徴とする請求項１〜４いずれか記載の情報配信システム。
【請求項６】
携帯端末上へ情報を配信する情報配信方法であって、
前記情報を暗号化して予めオフラインにて前記携帯端末へ配信するオフライン配信ステップと、
前記暗号化情報の復号化のための鍵情報を無線通信にて配信する無線配信ステップとを含むことを特徴とする情報配信方法。
【請求項７】
前記オフライン配信ステップは、前記暗号化情報を記憶媒体に記憶することにより配信するようにしたことを特徴とする請求項６記載の情報配信方法。
【請求項８】
前記記憶媒体は前記携帯端末に実装可能な外部ストレージであることを特徴とする請求項７記載の情報配信方法。
【請求項９】
前記オフライン配信ステップは、前記携帯端末に接続され前記暗号化情報をダウンロードしたコンピュータから前記暗号化情報を前記携帯端末へ取り込むようにしたことを特徴とする請求項６記載の情報配信方法。
【請求項１０】
前記携帯端末は携帯電話機であり、前記情報はこの携帯端末上で動作するソフトウェアであることを特徴とする請求項６〜９いずれか記載の情報配信方法。
【発明の詳細な説明】
【０００１】
【発明の属する技術分野】
本発明は携帯端末への情報配信システム及びその方法に関し、特に携帯端末上で動作するソフトウェアを配信する情報配信方式に関するものである。
【０００２】
【従来の技術】
携帯端末である携帯電話機の機能は、近年、飛躍的に増加しており、そのために、それを実現するソフトウェアは急激に大規模化している。この様な、ソフトウェアの大規模化に伴ってソフトウェアの修正が必要になったり、また、機能向上に伴ってソフトウェアのバージョンアップが必要になってくる。携帯電話機の出荷後に、この様なソフトウェアの修正やバージョンアップの必要性が生ずると、携帯電話機を使用するユーザに対するソフトウェアの配信を行うことが要求される。
【０００３】
図５はこの場合の修正ソフトウェアの配信方式を説明するための図である。図５を参照すると、無線基地局７を介して各携帯電話機５へ修正ソフトウェア１が、無線技術を用いて配信され、携帯電話機５内において、既に搭載されているソフトウェアが、この配信された修正ソフトウェア１により書き換えられることになる。
【０００４】
【発明が解決しようとする課題】
しかしながら、最近の携帯電話機におけるソフトウェアの容量は極めて大きいために、修正ソフトウェア１を無線技術を用いて配信する場合には、無線上の負荷が大となり、かつ無線回線の利用率が著しく劣化することが予想され、通常の移動通信サービスに支障をきたす恐れがある。
【０００５】
また、この様な無線技術を利用したオンライン配信方式では、修正ソフトウェアの容量が大きいために、その配信時間が長くなる。今日の携帯電話機のほとんどには、外部（パーソナルコンピュータ：ＰＣ）からデータを入出力する端子（シリアル端子やＵＳＢ端子）が設けられており、また、一部の携帯電話機には、外部ストレージ（ＳＤカード等）を実装可能としたものもあり、これ等外部端子や外部ストレージを用いて、オフラインにより携帯電話機内へデータ等を格納する方法がある。この様なオフラインのデータ転送速度に比べて、上述した無線技術を用いたオンライン配信方式のデータ転送速度は小であり、よって、オンライン配信方式では時間がかかるという欠点がある。
【０００６】
更に、無線技術を用いて修正ソフトウェアを携帯電話機へ配信する場合には、その配信過程で、世の中に広く伝送される可能性があり、悪意のある第３者に配信内容が渡ると、セキュリティ上好ましくないという欠点もある。
【０００７】
本発明の目的は、無線上の負荷の軽減を図り無線回線の利用率を低減させることがない携帯端末への情報配信システム及びその方法を提供することである。
【０００８】
本発明の他の目的は、ソフトウェアの書き換えのための時間を少くすると共に、悪意のある第３者に対してデータが渡っても悪用されることがない携帯端末への情報配信システム及びその方法を提供することである。
【０００９】
【課題を解決するための手段】
本発明によれば、携帯端末へ情報を配信する情報配信システムであって、前記情報を暗号化して予めオフラインにて前記携帯端末へ配信するオフライン配信手段と、この暗号化情報の復号化のための鍵情報を無線通信にて配信する無線配信手段とを含むことを特徴とする情報配信システムが得られる。
【００１０】
そして、前記オフライン配信手段は、前記暗号化情報を記憶媒体に記憶することにより配信するようにしたことを特徴とし、また前記記憶媒体は前記携帯端末に実装可能な外部ストレージであることを特徴とする。
【００１１】
また、前記オフライン配信手段は、前記携帯端末に接続され前記暗号化情報をダウンロードしたコンピュータを有し、このコンピュータから前記暗号化情報を前記携帯端末へ取り込むようにしたことを特徴とする。そして、前記携帯端末は携帯電話機であり、前記情報は前記携帯電話機上で動作するソフトウェアであることを特徴とする。
【００１２】
本発明によれば、携帯端末へ情報を配信する情報配信方法であって、前記情報を暗号化して予めオフラインにて前記携帯端末へ配信するオフライン配信ステップと、この暗号化情報の復号化のための鍵情報を無線通信にて配信する無線配信ステップとを含むことを特徴とする情報配信方法が得られる。
【００１３】
そして、前記オフライン配信ステップは、前記暗号化情報を記憶媒体に記憶することにより配信するようにしたことを特徴とし、また前記記憶媒体は前記携帯端末に実装可能な外部ストレージであることを特徴とする。
【００１４】
また、前記オフライン配信ステップは、前記携帯端末に接続され前記暗号化情報をダウンロードしたコンピュータ装置から前記暗号化情報を前記携帯端末へ取り込むようにしたことを特徴とする。
【００１５】
本発明の作用を述べる。携帯端末の修正ソフトウェア等の情報を各端末へ配信するにあたり、暗号化したソフトウェアをオフラインで携帯端末へ取込んでおき、復号化に必要な鍵情報のみを、無線技術を用いてオンラインにて配信するようにする。こうすることにより、無線上の負荷や回線利用率の低下を抑えることができ、また、暗号化ソフトウェアと復号用鍵情報とを別々の配信方式により配信することにより、どちらか一方のデータが悪意の第三者へ渡ったとしても、悪用されないことになる。
【００１６】
【発明の実施の形態】
以下、図面を用いて本発明の実施例について説明する。図１は本発明の一実施例を示すシステム概略図であり。携帯電話機５上で動作するソフトウェアの修正が必要になると、図２に示す如く、修正ソフトウェア１はある特定の鍵情報２を用いて暗号化が施され、暗号化修正ソフトウェア３が生成され、その復号のために必要な復号用鍵情報４が準備される。この鍵情報による暗号化技術は、公開鍵暗号化システムや秘密鍵暗号化システム等、特に使用される暗号化アルゴリズムについては問わないものとする。
【００１７】
こうして暗号化された修正ソフトウェア３は、ユーザ側に設けられているＰＣ（パーソナルコンピュータ）６に、予めダウンロードされるものとする。このＰＣ６内にダウンロードして格納されている暗号化修正ソフトウェア３は、ＵＳＢやシリアル通信等のインタフェース８の技術を用いて、携帯電話機５へオフライン的に取込まれることになる。
【００１８】
一方、無線基地局７を介して、復号化に必要な復号用鍵情報４（図２参照）が携帯電話機５へ、無線技術を利用して配信される。携帯電話機内にオフラインで取込まれて格納されている暗号化修正ソフトウェア３は、図３に示す如く、復号用鍵情報４を用いて復号化が施され、元の修正ソフトウェア１に復号されて、携帯電話機５内のソフトウェアの更新がなされるのである。
【００１９】
図４は本発明の他の実施例を示すシステム概略図であり、図１と同等部分は同一符号により示している。本例では、暗号化修正ソフトウェア３を携帯電話機５へオフラインで取込む場合に、ＳＤカード等外部ストレージ（記憶媒体）９を用いたものである。すなわち、予め外部ストレージ９に暗号化修正ソフトウェア３を格納しておき、この外部ストレージ９を携帯電話機５へ実装することにより、暗号化修正ソフトウェア３を、オフラインで携帯電話機５に取込むことができる
。
【００２０】
その後は、図１の実施例と同様に、オンラインで無線基地局７から配信された復号用鍵情報４を用いて暗号化修正ソフトウェアを、図３の如く復号化することは勿論である。
【００２１】
上記実施例においては、配信すべきデータを修正ソフトウェアとして説明しているが、これに限らず、改訂版ソフトウェアや他の情報であっても良いことは明らかである。また、携帯端末は携帯電話機に限らず、携帯型の情報処理端末であっても良い。
【００２２】
【発明の効果】
以上述べた如く、本発明によれば、配信すべき情報を暗号化してオフラインで携帯端末へ予め転送しておき、復号化に必要な鍵情報のみを、無線技術を用いたオンラインにより携帯端末へ配信するようにしたので、無線回線を流れるデータ量が著しく減少するという効果がある。また、暗号化情報と復号用鍵情報とを別々の方法にて配信しているので、どちらか一方が悪意の第３者へ渡ったとしても、悪用される恐れはなく、秘匿性が向上するという効果もある。
【図面の簡単な説明】
【図１】本発明の一実施例のシステム概略図である。
【図２】配信すべき修正ソフトウェアを暗号化する手順を説明する図である。
【図３】配信を受けた暗号化修正ソフトウェアを復号化する手順を説明する図である。
【図４】本発明の他の実施例のシステム概略図である。
【図５】従来の情報配信方式の例を示す図である。
【符号の説明】
１　　　修正ソフトウェア
２　　　鍵情報
３　　　暗号化修正ソフトウェア
４　　　復号用鍵情報
５　　　携帯電話機
６　　　ＰＣ（パーソナルコンピュータ）
７　　　無線基地局
８　　　ＵＳＢ，シリアル等のインタフェース
９　　　外部ストレージ
【図１】
2004015249.tif 000003
【図２】
2004015249.tif 000004
【図３】
2004015249.tif 000005
【図４】
2004015249.tif 000006
【図５】
2004015249.tif 000007